(57)【特許請求の範囲】
【請求項１】
左右の柱と、柱の上端を繋ぐ前枠と、妻垂木と、柱の前面覆い部と柱の側面覆い部とを有する柱カバーと、前枠の前面覆い部と前枠の上端に係止する前枠係止部とを有する前枠カバーと、妻垂木カバーと、屋根パネルを押さえるパネル押さえ具とを備え、妻垂木カバーは、妻垂木の側面覆い部と、屋根パネルを押さえるパネル押さえ部と、側面覆い部及びパネル押さえ部を連結する連結部とを有し、柱は柱カバーを前面から取り付け自在であり、前枠は前枠カバーを取り付け自在であり、妻垂木は妻垂木カバーとパネル押さえ具のいずれかを取り付け自在であることを特徴とする簡易建物。
【請求項２】
左右の柱と、柱の上端を繋ぐ前枠と、妻垂木と、柱の前面覆い部と柱の側面覆い部とを有する柱カバーと、前枠カバーと、妻垂木の側面覆い部と屋根パネルを押さえるパネル押さえ部とを有する妻垂木カバーと、屋根パネルを押さえるパネル押さえ具とを備え、前枠カバーは、前枠の上端に係止する前枠係止部と、前枠の前面を覆う前面覆い部と、前面覆い部に連続し前枠の下面を覆う下面覆い部とを有し、下面覆い部の下方に柱カバーが位置し、柱は柱カバーを前面から取り付け自在であり、前枠は前枠カバーを取り付け自在であり、妻垂木は妻垂木カバーとパネル押さえ具のいずれかを取り付け自在であることを特徴とする簡易建物。
【発明の詳細な説明】
【技術分野】
【０００１】
本発明は、サンルーム等の簡易建物に関する。
【背景技術】
【０００２】
サンルーム等の簡易建物において、柱、前枠及び妻垂木の骨組み部分を、一般的な金属質感のものから木質感等の他のデザインのものに変更して、デザイン性を向上することが望まれている。
これに対して、非特許文献１には、柱と、梁と、屋根を備えるカーポートにおいて、屋根の前枠と側枠とに、木質感のデザインがされた枠を用いることが開示されている。
この非特許文献１の技術では、木質感のデザインが要求されている枠には金属質の枠に換えて木質感のデザインを施した枠を用いて施工している。
【先行技術文献】
【特許文献】
【０００３】
【非特許文献１】第９６頁  三協立山アルミ「ＭＹＬｉｓｈ／マイリッシュシリーズ」２０１０年  ９月発行  カタログＮｏ．ＳＴＸ０４２３Ｄ  三協立山アルミニウム株式会社発行
【発明の概要】
【発明が解決しようとする課題】
【０００４】
しかし、非特許文献１の技術では、枠のデザインが異なる毎に、異なるデザインを施した枠をストックしておく必要があるので、施工コストが嵩むという不都合がある。
【０００５】
そこで、本発明は、施工コストが安価で、骨組み部分のデザインの変更が容易であると共にデザインを変える施工が容易にできる簡易建物の提供を目的とする。
【課題を解決するための手段】
【０００６】
請求項１に記載の発明は、左右の柱と、柱の上端を繋ぐ前枠と、妻垂木と、柱の前面覆い部と柱の側面覆い部とを有する柱カバーと、前枠の前面覆い部と前枠の上端に係止する前枠係止部とを有する前枠カバーと、妻垂木カバーと、屋根パネルを押さえるパネル押さえ具とを備え、妻垂木カバーは、妻垂木の側面覆い部と、屋根パネルを押さえるパネル押さえ部と、側面覆い部及びパネル押さえ部を連結する連結部とを有し、柱は柱カバーを前面から取り付け自在であり、前枠は前枠カバーを取り付け自在であり、妻垂木は妻垂木カバーとパネル押さえ具のいずれかを取り付け自在であることを特徴とする簡易建物である。
請求項２に記載の発明は、左右の柱と、柱の上端を繋ぐ前枠と、妻垂木と、柱の前面覆い部と柱の側面覆い部とを有する柱カバーと、前枠カバーと、妻垂木の側面覆い部と屋根パネルを押さえるパネル押さえ部とを有する妻垂木カバーと、屋根パネルを押さえるパネル押さえ具とを備え、前枠カバーは、前枠の上端に係止する前枠係止部と、前枠の前面を覆う前面覆い部と、前面覆い部に連続し前枠の下面を覆う下面覆い部とを有し、下面覆い部の下方に柱カバーが位置し、柱は柱カバーを前面から取り付け自在であり、前枠は前枠カバーを取り付け自在であり、妻垂木は妻垂木カバーとパネル押さえ具のいずれかを取り付け自在であることを特徴とする簡易建物である。
【発明の効果】
【０００７】
請求項１に記載の発明によれば、骨組み部分を構成する柱、前枠、妻垂木に、各々カバーを後付けすることによりデザインの変更ができるから、デザインの異なる柱や前枠や妻垂木を別にストックしておかなくて済むので、施工コストを安価にできる。
柱、前枠及び妻垂木に各々カバーを取り付けてデザインを変更するので、デザイン変更が容易であると共にデザインを変えた施工が容易にできる。
【図面の簡単な説明】
【０００８】
【図１】本実施の形態にかかる簡易建物であり、（ａ）は図６に示すＡ−Ａ断面図であり、（ｂ）は（ａ）に示すＫ部であって、前枠カバー、妻垂木カバ及び柱カバーを取り付けていない状態を示す断面図である。
【図２】（ａ）は図１に示すＢ−Ｂ断面図であり、（ｂ）は（ａ）に示すＬ部であって、前枠カバー、妻垂木カバ及び柱カバーを取り付けていない状態を示す断面図である。
【図３】本実施の形態にかかる簡易建物の柱部分を示す図であり、（ａ）は柱の下側部を示す側面図、（ｂ）は（ａ）に示すＣ−Ｃ断面図であり、（ｃ）は（ａ）の図において柱カバーを取り付けていない状態を示す側面図である。
【図４】図１に示すＥ−Ｅ断面図である。
【図５】図１に示すＦ−Ｆ断面図である。
【図６】本実施の形態にかかる簡易建物の斜視図である。
【図７】本実施の形態にかかる簡易建物において、柱、前枠、腕木、後側方立、垂木掛け、妻垂木及び垂木を組み立てた骨組み構造と、この骨組み構造に前枠カバー、柱カバー及び妻垂木カバーを取付けた外観を比較して示す斜視図であり、（ａ）は骨組み構造に各カバーを取付けた外観を示す斜視図であり、（ｂ）は骨組み構造の外観を示す斜視図である。
【発明を実施するための形態】
【０００９】
以下に、添付図面を参照して本発明の実施の形態を詳細に説明する。尚、図６及び図７において、斜線ハッチは木目模様部分を示している。図６に示すように、本実施の形態にかかる簡易建物１は、家の出入口に隣接して設けたサンルームであり、左右の柱３、３と、床５と、柱３、３間に固定した前枠７と、前壁９と、左右の側壁１１、１１と、屋根１３とを備えており、各前壁９、側壁１１、１１には、各々引き違いサッシ１５が設けてあり開閉自在になっている。
図１に示すように、前枠７は柱３、３の上端に固定してあり、柱固定部の前側には雨樋１０が前枠７の長手方向に沿って形成されている。雨樋１０の左右両端は前枠７にねじ固定されたキャップ１２により塞がれている。前枠７の前側壁１０ａはその前側面が円弧状にデザインされている。
家の壁１７（躯体）には躯体側方立１８が固定されており、躯体側方立１８の上端には垂木掛け２１が躯体１７に固定されている。
躯体側方立１８と前枠７との間には、腕木１９が架設されている。
図６及び図２に示すように、屋根１３には、左右の妻垂木２３と、左右の妻垂木２３間で間隔をあけて配置した複数の垂木２５とが設けてあり、妻垂木２３と垂木２５との間及び垂木２５、２５間には屋根パネル２７が設けてある。図１に示すように、各妻垂木２３と垂木２５とは各々垂木掛け２１と前枠７とに固定されている。
図２に示すように、垂木２５には、左右の屋根パネル２７を押えるパネル押さえ具２９がねじ２２により固定されている。妻垂木２３のパネル押さえについては、後述する。
【００１０】
本実施の形態にかかる簡易建物１には、更に、前枠カバー３１と、柱カバー３３と、妻垂木カバー３５と、柱カバーの取付金具３７とが設けてあるので、以下にこれらのカバー３１、３３、３５及び取付金具３７について説明する。前枠カバー３１と、柱カバー３３と、妻垂木カバー及び後述するコーナーカバー７０は、アルミニウム合金形材でできており、表面に木質感のデザインが施されている。尚、簡易建物１における支柱３、前枠７、妻垂木２３及びその他の部位を形成する形材は表面に金属質のデザインが施されている。
【００１１】
図１及び図６に示すように、前枠カバー３１は、前枠７の長手方向に沿って取付けてあり、前枠７の前面覆い部３９と、前枠係止部４１と、ねじ止め部４３とが設けてある。前枠係止部４１は、前側覆い部３９の上端部に形成されており、前枠７の前側壁１０ａの上端に上から係止している。ねじ止め部４３は、前面覆い部３９の後側に設けてあり、前枠７の下側面にねじ４５によりねじ固定されている。
前枠カバー３１の前面覆い部３９は、その前側面が平面状にデザインされており、前枠７の前側壁１０ａが円弧状の曲面になっているのに対して異なる形状にしてある。前面覆い部３９の後側面には、前面覆い部３９に連続し前枠７の下面を覆う下面覆い部４６が設けてあると共に、下面覆い部４６には前側係止部４１の下側で前枠７の前側壁に下方に向けて当接する第１当接部４２と、ねじ止め部４３の上側でねじ止め部４３と協同して上下方向に二又状になって当接する第２当接部４４が設けてある。
【００１２】
一方、図３に示すように、左右の柱３、３には、柱カバー３３が取付けてあるが、柱３の前側面（正面）には柱カバー３３を取付ける為の取付金具３７が上下方向に所定の間隔をあけて固定されている。
取付金具３７は柱３の正面にねじ止めするねじ止め部４７と、前側に向けて起立する左右の起立部４９とを有し、各起立部４９の先端には互いに対向する側に向けて突設する係止部５１が設けてある。
柱カバー３３は、柱３の前面覆い部５３と、柱３の側面覆い部５５とを有し、側面覆い部５５と前面覆い部５３とは一体に形成されている。前面覆い部５３には、中空部５４が形成されており、雨樋１０に接続された雨水排出パイプ５６が収納可能になっている。
前面覆い部５３には、取付金具３７の起立部４９に係止する左右の被係止部５７が形成されている。左右の被係止部５７は互い対応する側と反対側に向けて突設する突部になっている。側面覆い部５５には、柱３の側面に当接する当接部５８が形成されている。
【００１３】
図６に示すように、妻垂木カバー３５は、妻垂木２３の長手方向に沿って設けてあり、図２に示すように、妻垂木２３の側面覆い部５９と、パネル押さえ部６１と、側面覆い部５９及びパネル押さえ部６１を連結する連結部６２とを備え、パネル押さえ部６１を妻垂木２３の上面に載せてパネル押さえ部６１をねじ６３で妻垂木２３に固定されている。妻垂木カバー３５において、側面覆い部５９の下端には妻垂木２３の下面側に向けて突出する突部６５が形成されている。
【００１４】
また、本実施の形態では、図１及び図６に示すように、腕木１９と妻垂木２３との間に側面パネル６４が取りつけてあり、側面パネル６４は、図４に示すように、腕木１９に設けたパネル押さえ部６７で保持されていると共に、図５に示すように、躯体側方立１８に固定した屋根側面竪枠６９のパネル押さえ部６８により保持されている。
尚、図６に示すように、前枠７の左右端と妻垂木２３と柱３との接合部にはコーナーカバー７０が取り付けてある。
【００１５】
次に、本実施の形態にかかる簡易建物１の施工、作用効果について説明する。
簡易建物１の施工は、左右の支柱３、３を立設し、躯体側方立１８を躯体に固定し、柱３、３間に前枠７を固定し、前枠７と躯体側方立１８との間に左右の腕木１９を架設する。そして、前壁９、左右の側壁１１を設けると共に、垂木掛け２１と前枠７との間に各妻垂木２３、２３及び垂木２５を取付けて、屋根パネル２７及び側面パネル６４を取り付ける。
各柱３、３、前枠７、妻垂木２３で構成される骨組み部分は、各々表面が金属質感のデザインであり、図７（ｂ）に示すように、この簡易建物では、全体として所定の形状で金属質感のデザインを得ることができる。また、前枠７及び妻垂木２３の断面図と柱部分の側面図を図１（ｂ）、図２（ｂ）、図３（ｃ）に示すように、所定形状のデザインを得ることができる。
【００１６】
一方、骨組み部分を木質感で異なる形状のデザインに変えたい場合には、まず、柱３では、図３（ａ）（ｂ）に示すように、柱３の正面に取付金具３７を上下に所定間隔をあけてねじで固定し、取付金具３７の係止部５１、５１間の外側に柱カバー３３の被係止部５７、５７を押し込んで係止部５１と被係止部５７との弾性変形により両者を嵌合固定する。
尚、排水パイプ５６がある柱３には柱カバー３３の中空５４に排水パイプ５６を収納して柱３に取付ける。
前枠カバー３１の取り付けは、図１（ａ）に示すように、前枠カバー３１の前側覆い部３９を前枠７の前側壁１０ａの前面に当てて、前枠係止部４１を前枠７の前側壁１０ａの上端に上から係止して前側覆い部３９よりも後側にあるねじ止め部４３をねじ４５で前枠７に止める。
妻垂木カバー３５の取り付けは、図２（ａ）に示すように、側面覆い部５９を妻垂木２３の側面に当てて、上面部を妻垂木２３の上面にかけて、上面部をパネル押さえ具２９用のねじ６３で妻垂木２３に止めて、パネル押さえ部６１で屋根パネル２７を押える。
【００１７】
本実施の形態によれば、金属質感のデザインの簡易建物１の骨組み部分を構成する柱３、３に柱カバー３３を取り付け、前枠７に前枠カバー３１と取り付け、妻垂木２３に妻垂木カバー３５を取り付けることにより、図７（ｂ）に示すような金属質感のデザインの簡易建物１に対して、図７（ａ）に示すような木質感がある所定形状のデザインに変更ができるから、木質感にデザインを施した柱や前枠や妻垂木を別に用意してストックしておかなくて済むので、施工コストを安価にできる。
柱３、３、前枠７及び妻垂木２３に各カバー３３、３１、３５を取付けて簡易建物１のデザインを変更するので、デザイン変更が容易であると共にデザインを変えた施工が容易である。
ここで、図７に本実施の形態にかかる簡易建物において、各カバー３３、３１、３５を取り付けた骨組み構造と、各カバー３３、３１、３５を取り付けていない骨組み構造とを比較して示している。本実施の形態によれば、図７（ｂ）に示す簡易建物１の骨組み構造において、図７（ａ）に示すように、簡易建物１の骨組み構造のうちの柱３に柱カバー３３を、前枠７に前枠カバー３１を、妻垂木２３に妻垂木カバー３５を取り付けるだけで、簡易建物１の骨組み構造全体として異なる印象のデザインに容易に変更することができる。
柱カバー３３は、柱３の前方からの押し込み作業で取り付けできるから、取り付け作業が容易である。
柱カバー３３は、柱３に取り付けた取付金具３７を覆って、取付金具３７の係止部に被係止部を嵌合して固定するので、取付金具３７が見えないと共に柱カバー３３をねじ固定しないから、外観が良い。
柱カバー３３には、前面覆い部３９に中空５４を形成しているので、排水パイプ５６がある柱３では排水パイプ５６も一緒に覆うことができ、排水パイプ５６部分を含めた統一したデザインを施すことができる。
前枠カバー３１は、前枠係止部４１を前枠７の前側壁１０ａの上端に上から係止しているので、ねじ止め箇所が少なくて済み、施工し易い。
前枠カバー３１では、ねじ止め部４３が前面覆い部３９よりも後側にあるのでねじ止め部４３を止めるねじ４５が前側から見え難いので、外観が良い。
前枠カバー３１を前枠７に取り付けることにより、前枠７の前側壁１０ａが成す湾曲形状のデザインに対して、前面覆い部３９が成す平面状のデザインに変更できる。
前枠カバー３１の前側覆い部３９には、その後面に第１当接部４２と第２当接部４４を設けているので、湾曲した前側壁１０ａに対して前枠カバー３１を安定な収まりにできる。
妻垂木カバー３５には、パネル押さえ部６１が一体に設けてあり、別途パネル押さえ具を必要としないので、部品点数を少なくできる。
妻垂木カバー３５には、パネル押さえ部６１をパネル押さえ具用のねじ６３で妻垂木２３に固定できるので、妻垂木カバー３５を固定する為のねじが不要であるから、部品点数を少なくできる。
【００１８】
本発明は、上述した実施の形態に限らず、本発明の要旨を逸脱しない範囲で種々変形可能である。
例えば、簡易建物１はサンルームに限らず、テラスや物置等の屋根のある他の建物であっても良い。
柱カバー３３、妻垂木カバー３５及び前枠カバー３１は、各々木質調のデザインに限らず、赤、青等の色を付けたものであっても良く、また模様を付したものであっても良い。
柱カバー３３、前枠カバー３１、妻垂木カバー３５の材質は限定されず、例えば樹脂材であっても良い。
例えば、柱カバー３３の前面覆い部５３、前枠カバー３１の前面覆い部３９及び妻垂木カバー３５の側面覆い部５９を湾曲面に形成しても良く、柱カバー３３、前枠カバー３１、妻垂木カバー３５の形状は限定されない。
柱カバー３３は、柱３の前面と前面に隣接する左右の両側面とを覆うものであっても良い。
妻垂木カバー３５には、妻垂木２３の下面を覆う下面覆い部を設けても良い。
前枠カバー３１には、前枠７の下面を覆う下面覆い部を設けても良い。
【符号の説明】
【００１９】
１    簡易建物
３    柱
７    前枠
２３  妻垂木
２９  パネル押さえ具
３１  前枠カバー
３３  柱カバー
３５  妻垂木カバー
３９  前面覆い部（前枠カバー）
４１  前枠係止部（前枠カバー）
５３  前面覆い部（柱カバー）
５５  側面覆い部（柱カバー）
５９  側面覆い部（妻垂木カバー）
６１  パネル押さえ部
【図１】
0005690644.tif 000002
【図２】
0005690644.tif 000003
【図３】
0005690644.tif 000004
【図４】
0005690644.tif 000005
【図５】
0005690644.tif 000006
【図６】
0005690644.tif 000007
【図７】
0005690644.tif 000008